(57)【要約】【課題】ライブビュー表示を行っている際に自動焦点調節（ＡＦ）を行う場合に、高速ＡＦ動作を行うことのできるライブビュー可能なカメラを提供することを目的とする。【解決手段】ノーマルオープンタイプのシャッタ２１３をチャージ完了のまま保持すると共に可動反射ミラー２０３を反射位置に保持するスタンバイ領域（カム領域ｂ）と、シャッタ２１３をチャージ完了のまま保持すると共に可動反射ミラー２０３を反射位置から退避位置に駆動するリバースチャージ領域（カム領域ｃ）と、シャッタ２１３をチャージ完了のまま保持すると共に可動反射ミラー２０１を退避位置に保持するライブビュー領域（カム領域ｄ）とからなるカム面を有するカム部材を有し、上記スタンバイ領域と上記ライブビュー領域の間はモータの正逆回転により往復動を可能にさせ、測距または測光を高速に行う。【選択図】  図５
2007310219.tif 000002
【特許請求の範囲】
【請求項１】
ライブビュー可能なカメラにおいて、
撮像素子と、
被写体光束を反射する反射位置とこの被写体光束中から退避した退避位置とに移動する反射ミラーと、
この反射ミラーと上記撮像素子との間に配置され、チャージされたことにより一対のシャッタ幕を走行可能とし、チャージ完了状態でシャッタ幕開放状態であるシャッタと、
上記撮像素子上に結像した像を表示する表示手段と、
上記反射ミラーの駆動を行うカム部材であって、上記反射ミラーを上記反射位置に位置させる第１の領域と、これに連続して上記反射ミラーを上記反射位置から上記退避位置へと駆動する第２の領域と、これに連続して上記反射ミラーを上記退避位置に位置させる第３の領域とからなり、上記第１の領域と上記第３の領域は上記第２の領域を介して往復動可能なミラーカム手段と、
上記シャッタのチャージを行うカム部材であって、上記第１、第２および第３の領域にそれぞれ対応してシャッタチャージ状態を保持する第４、第５および第６の領域とからなるシャッタカム手段と、
通常の撮影準備状態では上記ミラーカム手段の第１の領域により上記反射ミラーを反射位置に位置させ、これに同期して上記シャッタカム手段の第４の領域により上記シャッタを上記チャージ完了に位置させ撮影待機し、上記撮像素子上に結像した像を上記表示手段に表示させライブビューを可能とする撮影準備状態では上記ミラーカム手段の第３の領域により上記反射ミラーを上記退避位置に位置させ、これに同期して上記シャッタカム手段の第６の領域により上記シャッタをチャージ完了状態に位置させシャッタ幕を開放状態に制御し、上記通常の撮影準備状態と上記ライブビューを可能とする撮影準備状態の切換は、上記第２および第５の領域を可逆的に通過することにより両状態の切換制御を行う制御手段と、
を有するライブビュー可能なカメラ。
【請求項２】
上記ミラーカム手段は、上記第１の領域の手前に上記反射ミラーを上記退避位置から上記反射位置に駆動させる第７の領域をさらに有し、上記シャッタカム手段は、上記第４の領域の手前に上記シャッタのシャッタチャージを行うための第８の領域をさらに有することを特徴とする請求項１に記載のライブビュー可能なカメラ。
【請求項３】
上記ミラーカム手段は、上記第３の領域に連続して上記反射ミラーの退避位置を保つ第９の領域をさらに有し、上記シャッタカム手段は、上記第６の領域に連続して上記シャッタをチャージ完了に保つと共に露光制御可能とする第１０の領域をさらに有することを特徴とする請求項１に記載のライブビュー可能なカメラ。
【請求項４】
上記シャッタカム手段は、上記第６の領域と第１０の領域の間に、上記シャッタの先幕を開放状態から閉鎖状態にするためのカム面を有することを特徴とする請求項３に記載のライブビュー可能なカメラ。
【請求項５】
上記制御手段は、上記ライブビューを可能とする撮影準備状態から測距動作を行う場合には、上記通常の撮影準備状態に切換制御を行い、上記通常の撮影準備状態での上記測距動作終了後に、上記ライブビューを可能とする撮影準備状態に復帰させることを特徴とする請求項１に記載のライブビュー可能なカメラ。
【請求項６】
ライブビュー可能なカメラにおいて、
撮像素子と、
被写体光束を反射する反射位置とこの被写体光束中から退避した退避位置とに移動する反射ミラーと、
この反射ミラーと上記撮像素子との間に配置され、チャージされたことにより一対のシャッタ幕を走行可能とし、チャージ完了状態でシャッタ幕開放状態であるシャッタと、
上記撮像素子上に結像した像を表示する表示手段と、
上記シャッタのチャージおよび上記反射ミラーの駆動を行うカム部材であって、上記反射ミラーを上記反射位置に位置させる第１の領域と、これに連続して上記反射ミラーを上記反射位置から上記退避位置へと駆動する第２の領域と、これに連続して上記反射ミラーを上記退避位置に位置させる第３の領域と、上記第１、第２および第３の領域にそれぞれ対応してシャッタチャージ状態を保持する第４、第５および第６の領域とからなり、上記第１の領域と上記第３の領域は上記第２の領域を介して往復動可能なカム部材と、
通常の撮影準備状態では上記カム部材の第１の領域により上記反射ミラーを反射位置に位置させ上記第４の領域により上記シャッタを上記チャージ完了状態に位置させ撮影待機し、上記撮像素子上に結像した像を上記表示手段に表示させ上記ライブビューを可能とする撮影準備状態では上記カム部材の第３の領域により上記反射ミラーを上記退避位置に位置させ上記カム部材の第６の領域により上記シャッタをチャージ完了状態に位置させ上記シャッタ幕を開放状態に制御し、上記第２および第５の領域を介して上記通常の撮影準備状態と上記ライブビューを可能とする撮影準備状態を可逆的に切換制御する制御手段と、
を有するライブビュー可能なカメラ。
【請求項７】
上記カム部材の上記シャッタカム部分と上記ミラーカム部分とは、別体のカムで構成したことを特徴とする請求項６に記載のライブビュー可能なカメラ。
【請求項８】
上記シャッタカム部分とミラーカム部分は、さらに一体に回転することを特徴とする請求項７に記載のライブビュー可能なカメラ。
【請求項９】
ライブビュー可能なカメラにおいて、
モータと、
撮影レンズからの光束中に進入して該光束を反射する反射位置と撮影レンズからの光束通過域から退避する退避位置とに駆動される可動反射ミラーと、
この可動反射ミラーの後方に配置されたノーマルオープンタイプのシャッタと、
上記モータの回転により上記シャッタと上記可動反射ミラーのチャージ動作を行うチャージ領域と、上記シャッタをチャージ完了のまま保持すると共に上記可動反射ミラーを上記反射位置に保持するスタンバイ領域と、上記シャッタをチャージ完了のまま保持すると共に上記可動反射ミラーを上記退避位置に保持するライブビュー領域と、上記シャッタのシャッタ幕の走行を可能とすると共に、上記可動反射ミラーを上記退避位置に保持する撮影領域と、上記ライブビュー領域と上記撮影領域の間に連続的に設けられ、両領域を可逆的に往復可能なリバースチャージ領域とからなるカム面を有するカム部材と、
カメラのモードに応じて、上記モータを回転させて上記カム部材の各領域を選択するように駆動制御する制御手段と、
を具備することを特徴とするライブビュー可能なカメラ。
【請求項１０】
上記制御手段は、撮像素子の出力に基づいて表示手段に被写体像を表示するライブビューを行う際には、上記ライブビュー領域に上記カム部材を駆動することを特徴とする請求項９に記載のライブビュー可能なカメラ。
【請求項１１】
上記制御手段は、上記ライブビューの際に測距または測光を行う場合には、上記ライブビュー領域から上記スタンバイ領域に上記カム部材を駆動することを特徴とする請求項１０に記載のライブビュー可能なカメラ。
【請求項１２】
上記制御手段は、通常モードにおける撮影状態においては、上記スタンバイ領域から上記撮影領域に上記カム部材を駆動制御し、ライブビューにおける撮影状態においては、上記ライブビュー領域から上記撮影領域に上記カム部材を駆動制御することを特徴とする請求項９に記載のライブビュー可能なカメラ。
【請求項１３】
上記シャッタは、上記ライブビュー領域と上記撮影領域の間のカム面によって、シャッタ先幕を一旦閉じ状態になることを特徴とする請求項９に記載のライブビュー可能なカメラ。
【請求項１４】
上記シャッタは、上記チャージ領域においてシャッタチャージされた後、上記撮影領域においてシャッタ走行するまでシャッタチャージが保持され続けることを特徴とする請求項９に記載のライブビュー可能なカメラ。
【請求項１５】
撮影レンズの撮影光路上の反射位置と、この撮影光路上から退避した退避位置とに移動可能な可動反射ミラーと、
上記撮影レンズの上記撮影光路上に配置され、上記撮影レンズによって結像される被写体像を受光し、光電変換信号を出力する撮像素子と、
この撮像素子と上記可動反射ミラーとの間に配置され、撮影時には上記撮像素子上による上記被写体像の露光時間を制御するためのシャッタと、
上記光電変換信号に基づいて上記被写体像をライブビュー表示するための表示装置と、
上記ライブビュー表示を行うにあたって、上記シャッタを開放状態に保つと共に、上記可動反射ミラーを上記退避位置に駆動し、非ライブビュー表示を行うにあたって、上記可動反射ミラーを反射位置に駆動し、上記ライブビュー表示を行っている際に測距または測光を行う場合には、上記可動反射ミラーを上記反射位置に駆動し、上記測距または測光の終了後には、上記可動反射ミラーを上記退避位置に駆動する駆動制御手段と、
を具備したことを特徴とするライブビュー可能なカメラ。
【請求項１６】
上記駆動制御手段は、上記測距または測光を行う間、上記表示装置におけるライブビュー表示を固定することを特徴とする請求項１５に記載のライブビュー可能なカメラ。
【発明の詳細な説明】
【技術分野】
【０００１】
本発明は、ライブビュー表示機能を有するカメラに関し、詳しくは、撮像素子で繰り返し取得した画像を表示装置に動画像として表示する所謂ライブビュー表示機能（スルー画表示機能、電子ファインダ機能とも言う）を有するカメラに関する。
【背景技術】
【０００２】
従来のカメラにおいては、被写体像の観察は、光学式ファインダにより行っていたが、最近のコンパクトデジタルカメラは、光学式ファインダと共に、またはファインダ光学系を廃止し、撮像素子で取得した画像を連続的に液晶モニタ等の表示装置に表示するいわゆるライブビュー表示機能を有したものが多くなってきている。
【０００３】
このようなライブビュー表示機能は、例えば、パララックスが生じないためマクロ撮影時等に有効であり、このためデジタル一眼レフカメラに搭載した例も種々提案されている。例えば、光学ファインダ表示モードと電子ファインダ表示モードを選択可能とし、電子ファインダ表示モードが選択されたときには、可動ミラーを撮影光路から退避させるとともにフォーカルプレーンシャッタを全開状態にして被写体像を撮像素子に導き、それによって得られた被写体像を連続的に外部に配置された液晶モニタに表示するようにしたライブビュー可能なデジタル一眼レフカメラが提案されている（特許文献１）。
【特許文献１】特開２００２−３６９０４２号公報
【発明の開示】
【発明が解決しようとする課題】
【０００４】
ところで、ライブビュー表示を行っている際に、自動焦点調節（ＡＦ）を行うには可動ミラーを反射位置にダウンさせ、この状態で可動ミラーに設けられているサブミラーを介して被写体光束を用いてＴＴＬ位相差ＡＦを行う必要があった。このため可動ミラーのダウン動作とシャッタの再チャージ動作が必要となり時間を要し、ライブビューにおける高速ＡＦができなかった。
【０００５】
本発明は、このような事情を鑑みてなされたものであり、ライブビュー表示状態において高速ＡＦ動作を行うことのできるライブビュー可能なカメラを提供することを目的とする。
【課題を解決するための手段】
【０００６】
上記目的を達成するため第１の発明に係わるライブビュー可能なカメラは、撮像素子と、  被写体光束を反射する反射位置とこの被写体光束中から退避した退避位置とに移動する反射ミラーと、この反射ミラーと上記撮像素子との間に配置され、チャージされたことにより一対のシャッタ幕を走行可能とし、チャージ完了状態でシャッタ幕開放状態であるシャッタと、上記撮像素子上に結像した像を表示する表示手段と、上記反射ミラーの駆動を行うカム部材であって、上記反射ミラーを上記反射位置に位置させる第１の領域と、これに連続して上記反射ミラーを上記反射位置から上記退避位置へと駆動する第２の領域と、これに連続して上記反射ミラーを上記退避位置に位置させる第３の領域とからなり、上記第１の領域と上記第３の領域は上記第２の領域を介して往復動可能なミラーカム手段と、  上記シャッタのチャージを行うカム部材であって、上記第１、第２および第３の領域にそれぞれ対応してシャッタチャージ状態を保持する第４、第５および第６の領域とからなるシャッタカム手段と、通常の撮影準備状態では上記ミラーカム手段の第１の領域により上記反射ミラーを反射位置に位置させ、これに同期して上記シャッタカム手段の第４の領域により上記シャッタを上記チャージ完了に位置させ撮影待機し、上記撮像素子上に結像した像を上記表示手段に表示させライブビューを可能とする撮影準備状態では上記ミラーカム手段の第３の領域により上記反射ミラーを上記退避位置に位置させ、これに同期して上記シャッタカム手段の第６の領域により上記シャッタをチャージ完了状態に位置させシャッタ幕を開放状態に制御し、上記通常の撮影準備状態と上記ライブビューを可能とする撮影準備状態の切換は、上記第２および第５の領域を可逆的に通過することにより両状態の切換制御を行う制御手段を具備する。
【０００７】
第２の発明に係わるライブビュー可能なカメラは、上記第１の発明において、上記ミラーカム手段は、上記第１の領域の手前に上記反射ミラーを上記退避位置から上記反射位置に駆動させる第７の領域をさらに有し、上記シャッタカム手段は、上記第４の領域の手前に上記シャッタのシャッタチャージを行うための第８の領域をさらに具備する。
また、第３の発明に係わるライブビュー可能なカメラは、上記第１の発明において、上記ミラーカム手段は、上記第３の領域に連続して上記反射ミラーの退避位置を保つ第９の領域をさらに有し、上記シャッタカム手段は、上記第６の領域に連続して上記シャッタをチャージ完了に保つと共に露光制御可能とする第１０の領域をさらに有する。
さらに、第４の発明に係わるライブビュー可能なカメラは、上記第１の発明において、上記シャッタカム手段は、上記第６の領域と第１０の領域の間に、上記シャッタの先幕を開放状態から閉鎖状態にするためのカム面を有する。
さらに、第５の発明に係わるライブビュー可能なカメラは、上記第１の発明において、上記制御手段は、上記ライブビューを可能とする撮影準備状態から測距動作を行う場合には、上記通常の撮影準備状態に切換制御を行い、上記通常の撮影準備状態での上記測距動作終了後に、上記ライブビューを可能とする撮影準備状態に復帰させる。
【０００８】
上記目的を達成するため第６の発明に係わるライブビュー可能なカメラは、撮像素子と、  被写体光束を反射する反射位置とこの被写体光束中から退避した退避位置とに移動する反射ミラーと、この反射ミラーと上記撮像素子との間に配置され、チャージされたことにより一対のシャッタ幕を走行可能とし、チャージ完了状態でシャッタ幕開放状態であるシャッタと、上記撮像素子上に結像した像を表示する表示手段と、上記シャッタのチャージおよび上記反射ミラーの駆動を行うカム部材であって、上記反射ミラーを上記反射位置に位置させる第１の領域と、これに連続して上記反射ミラーを上記反射位置から上記退避位置へと駆動する第２の領域と、これに連続して上記反射ミラーを上記退避位置に位置させる第３の領域と、上記第１、第２および第３の領域にそれぞれ対応してシャッタチャージ状態を保持する第４、第５および第６の領域とからなり、上記第１の領域と上記第３の領域は上記第２の領域を介して往復動可能なカム部材と、通常の撮影準備状態では上記カム部材の第１の領域により上記反射ミラーを反射位置に位置させ上記第４の領域により上記シャッタを上記チャージ完了状態に位置させ撮影待機し、上記撮像素子上に結像した像を上記表示手段に表示させ上記ライブビューを可能とする撮影準備状態では上記カム部材の第３の領域により上記反射ミラーを上記退避位置に位置させ上記カム部材の第６の領域により上記シャッタをチャージ完了状態に位置させ上記シャッタ幕を開放状態に制御し、上記第２および第５の領域を介して上記通常の撮影準備状態と上記ライブビューを可能とする撮影準備状態を可逆的に切換制御する制御手段を具備する。
第７の発明に係わるライブビュー可能なカメラは、上記第６の発明において、上記カム部材の上記シャッタカム部分と上記ミラーカム部分とは、別体のカムで構成する。
また、第８の発明に係わるライブビュー可能なカメラは、上記第７の発明において、上記シャッタカム部分とミラーカム部分は、さらに一体に回転する。
【０００９】
上記目的を達成するため第９の発明に係わるライブビュー可能なカメラは、モータと、  撮影レンズからの光束中に進入して該光束を反射する反射位置と撮影レンズからの光束通過域から退避する退避位置とに駆動される可動反射ミラーと、この可動反射ミラーの後方に配置されたノーマルオープンタイプのシャッタと、上記モータの回転により上記シャッタと上記可動反射ミラーのチャージ動作を行うチャージ領域と、上記シャッタをチャージ完了のまま保持すると共に上記可動反射ミラーを上記反射位置に保持するスタンバイ領域と、上記シャッタをチャージ完了のまま保持すると共に上記可動反射ミラーを上記退避位置に保持するライブビュー領域と、上記シャッタのシャッタ幕の走行を可能とすると共に、上記可動反射ミラーを上記退避位置に保持する撮影領域と、上記ライブビュー領域と上記撮影領域の間に連続的に設けられ、両領域を可逆的に往復可能なリバースチャージ領域とからなるカム面を有するカム部材と、カメラのモードに応じて、上記モータを回転させて上記カム部材の各領域を選択するように駆動制御する制御手段を具備する。
【００１０】
第１０の発明に係わるライブビュー可能なカメラは、上記第９の発明において、上記制御手段は、撮像素子の出力に基づいて表示手段に被写体像を表示するライブビューを行う際には、上記ライブビュー領域に上記カム部材を駆動する。
また、第１１の発明に係わるライブビュー可能なカメラは、上記第９の発明において、上記制御手段は、上記ライブビューの際に測距または測光を行う場合には、上記ライブビュー領域から上記スタンバイ領域に上記カム部材を駆動する。
さらに、第１２の発明に係わるライブビュー可能なカメラは、上記第９の発明において、上記制御手段は、通常モードにおける撮影状態においては、上記スタンバイ領域から上記撮影領域に上記カム部材を駆動制御し、ライブビューにおける撮影状態においては、上記ライブビュー領域から上記撮影領域に上記カム部材を駆動制御する。
さらに、第１３の発明に係わるライブビュー可能なカメラは、上記第９の発明において、上記シャッタは、上記ライブビュー領域と上記撮影領域の間のカム面によって、シャッタ先幕を一旦閉じ状態になる。
さらに、第１４の発明に係わるライブビュー可能なカメラは、上記第９の発明において、上記シャッタは、上記チャージ領域においてシャッタチャージされた後、上記撮影領域においてシャッタ走行するまでシャッタチャージが保持され続ける。
【００１１】
上記目的を達成するため第１５の発明に係わるライブビュー可能なカメラは、撮影レンズの撮影光路上の反射位置と、この撮影光路上から退避した退避位置とに移動可能な可動反射ミラーと、上記撮影レンズの上記撮影光路上に配置され、上記撮影レンズによって結像される被写体像を受光し、光電変換信号を出力する撮像素子と、この撮像素子と上記可動反射ミラーとの間に配置され、撮影時には上記撮像素子上による上記被写体像の露光時間を制御するためのシャッタと、上記光電変換信号に基づいて上記被写体像をライブビュー表示するための表示装置と、上記ライブビュー表示を行うにあたって、上記シャッタを開放状態に保つと共に、上記可動反射ミラーを上記退避位置に駆動し、非ライブビュー表示を行うにあたって、上記可動反射ミラーを反射位置に駆動し、上記ライブビュー表示を行っている際に測距または測光を行う場合には、上記可動反射ミラーを上記反射位置に駆動し、上記測距または測光の終了後には、上記可動反射ミラーを上記退避位置に駆動する駆動制御手段を具備する。
また、第１６の発明に係わるライブビュー可能なカメラは、上記第１５の発明において、上記駆動制御手段は、上記測距または測光を行う間、上記表示装置におけるライブビュー表示を固定する。
【発明の効果】
【００１２】
本発明のライブビュー可能なカメラは、ライブビュー表示を行うにあたって、シャッタをチャージ完了状態で開放状態に保つと共に、可動反射ミラーを退避位置に駆動し、ライブビュー表示を行っている際に測距または測光を行う場合には、シャッタを開放状態に保つと共に可動反射ミラーを反射位置に可逆的に駆動するようにしたので、ライブビュー表示状態において高速ＡＦ動作を行うことのできるライブビュー可能なカメラを提供することができる。
【発明を実施するための最良の形態】
【００１３】
以下、図面に従って本発明を適用したデジタル一眼レフカメラを用いて好ましい一実施形態について説明する。図１は、一実施形態に係わるデジタル一眼レフレックスカメラの内部機構の概略構成を示すブロック図であり、（Ａ）は撮影レンズの光軸方向に沿った内部構成ブロック図、（Ｂ）はカメラ本体２００の正面方向からみた内部構成ブロック図である。
【００１４】
カメラ本体２００の上面にはレリーズ釦２１が配置されている。このレリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピントあわせ、被写体輝度の測光等の撮影準備動作を行い、第２レリーズスイッチ（以下、２Ｒと称する）のオンにより撮像素子としてのＣＣＤ（Charge Coupled Devices）２２１（図６参照）の出力に基づいて被写体像の画像データの取り込みを行う撮影動作を実行する。
【００１５】
レンズ鏡筒１００の内部に配置された撮影レンズ１０１（図６参照）の光軸上であって、カメラ本体２００のミラーボックス内に可動反射ミラー２０１が配置されている。この可動反射ミラー２０１は、被写体光束をファインダ光学系（例えば、ペンタプリズム２０７等）に反射するために撮影レンズ１０１の光軸に対して４５度傾いた反射位置と、被写体像を撮像素子(後述のＣＣＤ（Charge Coupled Device）２２１)に導くために、撮影光路から退避した退避位置とに回動可能となっている。可動反射ミラー２０１の回動軸は図１（Ａ）の紙面に対して垂直方向に沿っている。この可動反射ミラー２０１によって、上方に被写体光束を反射する。なお、本実施形態では、上方に全反射しているが、これに限らず、カメラ本体の右方でも左方でも、被写体光束の反射方向は機構部材や光学部材の配置上、最も適切になるように選択してよい。
【００１６】
可動反射ミラー２０１の反射光軸上にフォーカシングスクリーン２０５が配置されており、これは撮影レンズ１０１による被写体光束を結像させるためのマット面であり、可動反射ミラー２０１からの距離がＣＣＤ２２１と等価な位置に配設されている。フォーカシングスクリーン２０５の上方には、被写体像を左右反転させるためのペンタプリズム２０７が配置されている。ファインダ接眼部３３は、ファインダ光学系の接眼部であって、撮影者はこの接眼部３３を覗いて被写体像の確認を行うことができる。
【００１７】
上述の可動反射ミラー２０１の中央付近はハーフミラーで構成されており、この可動反射ミラー２０１の背面には、ハーフミラー部を透過した被写体光束を反射するための測距用にサブミラー２０３が設けられている。このサブミラー２０３は、可動反射ミラー２０１に対して回動可能であり、可動反射ミラー２０１が撮影光路から退避し、被写体光束がＣＣＤ２２１に入射しているときには、ハーフミラー部を覆う位置に回動し、可動反射ミラー２０１が図示の如き被写体像観察位置（反射位置）にあるときには、可動反射ミラー２０１に対して起き上がって開となり測距ユニットに被写体光束の一部を反射可能となる位置にある。この可動反射ミラー２０１はシャッタ・ミラー駆動ユニット３０３によって駆動されている。また、サブミラー２０３の反射光路上に測距用センサを含むＴＴＬ位相差方式の測距回路２１７（図６参照）を含む測距ユニット２１８が配置されており、測距ユニット２１８によって、撮影レンズ１０１によって結像される被写体像の焦点ズレ量を検出する。
【００１８】
可動反射ミラー２０１の後方には、露光時間制御用にノーマルオープンタイプのフォーカルプレーンシャッタ２１３が配置されており、このシャッタ２１３はシャッタ駆動機構２１５（図６）を含むシャッタ制御部２１３ａとシャッタ・ミラー駆動ユニット３０３によって駆動制御される。シャッタ２１３の後方には撮像素子としてのＣＣＤ２２１が配置されており、撮影レンズによって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。
【００１９】
カメラ本体２００の正面から見て左側には、カメラ本体の全体に電源を供給するためのバッテリ３０５が配置されている。また本体の右側には、後述するように、シャッタ２１３と可動反射ミラー２０１の駆動源となるミラーシャッタ（以下「ＭＳ」と略す）モータ３０１が配置され、このＭＳモータ３０１の駆動力を伝達するためのシャッタ・ミラー駆動ユニット３０３がＭＳモータ３０１の駆動軸と係合するように、ＭＳモータ３０１の下側に配置されている。また、可動反射ミラー２０１の脇には、シャッタ２１３の駆動制御を行うためのシャッタ制御部２１３ａが配置されている。
【００２０】
次に、図２乃至図５を用いて可動反射ミラー２０１とシャッタ２１３の駆動制構について説明する。
図２はシャッタ２１３と可動反射ミラー２０１を示す図であって、（Ａ）はシャッタ２１３の斜視図であり、（Ｂ）はシャッタ２１３の正面図、（Ｃ）はミラーの斜視図、（Ｄ）は可動反射ミラー２０１のミラーダウン状態を示し、（Ｅ）はミラーアップ状態を示す図である。図２（Ａ）に示すように、シャッタ２１３の側部にはシャッタ制御部２１３ａが配置されており、このシャッタ制御部２１３ａの下部には、シャッタセットレバー２１３ｂが突出している。そして、このシャッタセットレバー２１３ｂは初期状態では、図２（Ｂ）の斜線の位置（ア）の位置にあり、シャッタチャージ完了状態では、図２（Ｂ）の実線の位置（イ）の位置に移動する。
【００２１】
前述したように、シャッタ２１３はノーマルオープンタイプのフォーカルプレーンシャッタであり、通常状態ではシャッタ先幕および後幕はそれぞれ格納室に格納され、ＣＣＤ２２１の前方は開放状態となっている。そしてＣＣＤ２２１による撮影を行うに先立って、先幕・後幕マグネットを保持する。この状態でシャッタセットレバー２１３ｂを初期状態（ア）の位置に戻すことによりシャッタ先幕は撮影光路を遮る閉じ状態に移動する。この状態において先幕マグネットの吸着を解除すると、シャッタ先幕が走行を開始することにより露光が開始し、露光時間経過後に後幕マグネットの吸着を解除することによりシャッタ後幕が走行を開始し、露光の終了を行う。これらの露光動作が終了した後、シャッタセットレバー２１３ｂをチャージ完了状態の（イ）の位置にチャージするとシャッタ２１３がチャージされ、シャッタ後幕は撮影光路から退避して格納室に格納され、ＣＣＤ２２１の前方は開放状態となる。このように、ノーマルオープンタイプのフォーカルプレーンシャッタは、通常状態では開放状態となっており、撮影の前後で一時的に閉じ状態となるシャッタである。
【００２２】
可動反射ミラー２０１のダウン状態では、図２（Ｃ）に示すように、サブミラー２０３は可動反射ミラー２０１に対して開いた位置に回動している。可動反射ミラー２０１の回動軸側には、図２（Ｄ）に示すように、ミラーダウンバネ３４５が設けられており、このミラーダウンバネ３４５によって図中の反時計方向、すなわちダウン方向に付勢されている。このミラーダウンバネ３４５によって付勢された可動反射ミラー２０１は位置規制ピン３４９によって、撮影光路に対して４５度の位置に規制されている。ミラー駆動レバー３４１はＬ字状形状をしており、ミラー駆動バネ３４３によって反時計方向、すなわちミラーをアップさせるアップ方向に付勢されている。ミラー駆動レバー３４１の一端は、可動反射ミラー２０１に固設された係合ピン３４７に係合可能な位置に配置されている。なお、ミラー駆動バネ３４３のバネ力の方が、ミラーダウンバネ３４５のバネ力よりも常時強く構成されている。
【００２３】
ミラーダウン状態では、ミラー駆動レバー３４１は、ミラーチャージレバー３５１によって、ミラー駆動バネ３４３の付勢力に抗して時計方向に回動させられており、図２（Ｄ）に示す位置にある。この状態で、ミラー駆動レバー３４１を係止しているミラーチャージレバー３５１が右方に移動すると、ミラー駆動レバー３４１はミラー駆動バネ３４３の付勢力によって反時計方向に回動する。この回動に伴って、係合ピン３４７を介して、可動反射ミラー２０１はダウン位置からアップ位置に回動し、図２（Ｅ）に示す状態になる。この状態からミラーチャージレバー３５１が、ミラー駆動バネ３４３の付勢力に抗して左方に移動して、図２（Ｄ）の位置に達するとミラーチャージ完了状態となる。
【００２４】
図３は、ＭＳモータ３０１の駆動力が伝達されるシャッタ・ミラー駆動ユニット３０３の分解斜視図である。ギア３６３を介して、カムギア３５７にＭＳモータ３０１の駆動力が伝達される。このカムギア３５７の上面にはカムギア３５７の回転軸の半径方向に変化する周面を有するミラーチャージカム３５３が固設されており、このミラーチャージカム３５３のカム面３５３ａにはミラーチャージレバー３５１の一端が係接している。このミラーチャージレバー３５１の他端はミラー駆動レバー３４１と係接している。ミラー駆動レバー３４１は、ミラーチャージレバー３５１を時計方向に回動させる向きにバネ付勢されているので（図２参照）、ミラーチャージレバー３５１の一端はミラーチャージカム３５３に対して圧接することになる。したがって、カムギア３５７の回動に伴って、これと一体のミラーチャージカム３５３が回動し、このミラーチャージカム３５３のカム面に圧接しているミラーチャージレバー３５１は回動する。
【００２５】
また、カムギア３５７の下面にはカムギア３５７の回転軸の半径方向に変化する周面を有するシャッタチャージカム３５５のカム面３５５ａが固設されており、このシャッタチャージカム３５５にはシャッタチャージレバー３６１の一端が係接している。このシャッタチャージレバー３６１の他端はシャッタセットレバー２１３ｂと係接している。したがって、カムギア３５７の回動に伴って、これと一体のシャッタチャージカム３５５も回動し、このシャッタチャージカム３５５のカム面に係接しているシャッタチャージレバー３６１は回動し、シャッタセットレバー２１３ｂも回動する。
【００２６】
上述したミラーチャージカム３５３のＡＡ方向から見たカム面を図４（Ａ）に示し、シャッタチャージカム３５５のＢＢ方向から見たカム面を図４（Ｂ）に示す。ミラーチャージカム３５３のカム面３５３ａは、図示されるように、リフトカムａ、上死点領域ｂ、リバースリフトカムｃ、下死点領域ｄ、下死点領域ｅの５つの領域から構成されている。また、シャッタチャージカム３５５のカム面３５５ａは、図示されるように、リフトカムａ、上死点領域ｂ、上死点領域ｃ、上死点領域ｄ、下死点領域ｅの５つの領域から構成されている。また、図示しないが、ミラーチャージカム３５３、シャッタチャージカム３５５、もしくはこれらと一体に駆動される部材の回転もしくは移動を検知する複数のフォトインタラプタが設けられている。これらのフォトインタラプタによって、領域ｂにある間、Ｌレベル出力するｄ検出と、領域ｄにある間、Ｌレベル出力するｂ検出と、領域ｅにある間、Ｌレベル出力するｅ検出とがなされる（図５参照）。
【００２７】
カム領域ａはチャージ領域であり、ミラーチャージカム３５３のカム面３５３ａは、下死点から上死点に変化し、またシャッタチャージカム３５５のカム面３５５ａは、下死点から上死点に変化する。このため、ミラーチャージレバー３５１とシャッタチャージレバー３６１の両方が回動する。ミラーチャージレバー３５１の回動によりミラー駆動レバー３４１も回動し、ミラー駆動バネ３４３をチャージすると共に、ミラーダウンバネの付勢力によって可動反射ミラー２０１は下降し、反射位置となる。また、シャッタチャージレバー３６１の回動によりシャッタセットレバー２１３ｂは図２（Ｂ）（ア）に示す位置から（イ）に示す位置に移動し、シャッタチャージを行う。
【００２８】
カム領域ｂはスタンバイ領域であり、ミラーチャージカム３５３は上死点にあり、可動反射ミラー２０１はダウン状態（図２（Ｄ）参照）、すなわちファインダ光学系に被写体光束を反射する観察位置（反射位置）にある。この状態では、ファインダ光学系に被写体光束が導かれるので、ファインダによる被写体像の観察が可能であり、また後述する測光素子２１１にも被写体光束が導かれるので、測光が可能であり、さらにサブミラー２０３によって被写体光束が測距ユニット２１８に導かれるので測距及び撮影レンズの合焦位置への駆動（自動焦点調節）が可能である。また、シャッタチャージカム３５５も上死点にあり、図２（Ｂ）（イ）に示すようにチャージ状態にある。シャッタ２１３はチャージ状態にあるがシャッタセットレバー２１３ｂが退避していないので、このままではシャッタ幕の走行ができず、露光することはない。
【００２９】
カム領域ｃはリバースチャージ領域であり、ミラーチャージカム３５３は上死点と下死点の間を可逆的に駆動され、シャッタチャージカム３５５は上死点を保持している。ミラーチャージカム３５３が上死点から下死点に変化すると、可動反射ミラー２０１は反射位置から退避位置に変化する。また逆にミラーチャージカムが下死点から上死点に変化すると、可動反射ミラー２０１は退避位置から反射位置に移動する。シャッタ２１３は開放状態でかつシャッタチャージ状態を保持する、
【００３０】
カム領域ｄはライブビュー領域であり、ミラーチャージカム３５３は下死点にあり、可動反射ミラー２０１はアップ状態（図２（Ｅ）参照）、すなわち撮影光路から退避した退避位置にある。また、シャッタチャージカム３５５は上死点にあり、シャッタセットレバー２１３ｂは図２（Ｂ）（イ）に示すチャージ状態を保持したままにある。この状態では、光学ファインダによる被写体像の観察は不可能であるが、撮像素子としてのＣＣＤ２１１上に被写体像が結像するので、このＣＣＤ２２１からの画像情報を出力することができ、この画像情報に基づいて液晶モニタ２６に被写体像を表示することができる。
【００３１】
カム領域ｅは撮影領域であり、ミラーチャージカム３５３は下死点にあり、可動反射ミラー２０１はアップ状態（図２（Ｅ）参照）、すなわち撮影光路から退避した退避位置にある。また、シャッタチャージカム３５５は下死点にあり、シャッタセットレバー２１３ｂは図２（Ｂ）（ア）に示す位置に移動し、シャッタ先幕および後幕が走行可能な退避位置〈露光可能状態〉となっている。この状態は、レリーズ釦２１の操作により２Ｒがオンとなった場合であり、前述したように一旦シャッタ２１３を閉じ状態とした後、シャッタ２１３を保持するシャッタマグネットの吸着解除に応じてシャッタ先幕と後幕がそれぞれ走行し、この間、ＣＣＤ２１１によって静止画を撮像し、記録することができる。
【００３２】
なお、図４におけるミラーチャージカム３５３とシャッタチャージカム３５５の相対的回転位置関係は、互いの基準位置が同じ位置で説明しているが、ミラーチャージレバー３５１およびシャッタチャーレバー３６１の配置で互いの基準位置が変化する。ミラーチャージカム３５３およびシャッタチャージカム３５５は、図中左回転（時計回り）し、前述の如く、カムフォロア構成となっているミラーチャージレバー３５１とシャッタチャージレバー３６１を回動させる。通常モードでは、カム領域ｂにおいてチャージ完了でスタンバイ状態（光学ファインダで観察可能）となっており、レリーズ釦２１の操作に応じてカム領域ｄに駆動され撮影を行う。一方、ライブビューモードでは、カム領域ｃにおいてシャッタチャージ完了かつ可動反射ミラー２０１をミラーアップさせライブビュー表示を行い、レリーズ釦２１の操作に応じてカム領域ｄに駆動され撮影を行う。
【００３３】
次に、図６を用いて、デジタル一眼レフカメラの電気系を主とする全体構成を説明する。本実施形態に係わるデジタル一眼レフカメラは、前述したように、交換レンズ１００とカメラ本体２００は別体で構成されており、両者は通信接点３００にて電気的に接続されている。なお、交換レンズ１００とカメラ本体２００を一体に構成することも可能である。
【００３４】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００３５】
カメラ本体２００内には、前述したように可動反射ミラー２０１、サブミラー２０３、フォーカシングスクリーン２０５、ペンタプリズム２０７が配置されている。可動反射ミラー２０１はミラー駆動機構２１９によって駆動されている。ペンタプリズム２０７の出射側には被写体像観察用の接眼レンズ２０９が配置され、この脇であって被写体像の観察に邪魔にならない位置に測光センサ２１１が配置されている。フォーカシングスクリーン２０５、ペンタプリズム２０７、接眼レンズ２０９はファインダ光学系の一部を構成している。
【００３６】
また、上述したように、可動ミラー２０１の背面にはサブミラー２０３が設けられており、このサブミラー２０３の反射方向に合焦センサを含む測距回路２１７が配置されている。さらに、可動ミラー２０１の後方には、シャッタ２１３が配置されており、このシャッタ２１３はシャッタ駆動機構２１５によって駆動制御される。また、シャッタ２１３の後方には撮像素子としてのＣＣＤ２２１が配置されており、レンズ１０１、１０２によって結像される被写体像を電気信号に光電変換する。ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正といった各種の画像処理を行う。また、液晶モニタ２６におけるライブビュー表示用の画像データの生成も行う。
【００３７】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００３８】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００３９】
上述の測光センサ２１１、シャッタ駆動機構２１５、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００４０】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。液晶モニタ２６はカメラ本体２００の背面に配置されるが、撮影者が観察できる位置であれば、背面に限らないし、また液晶に限らず他の表示装置でも構わない。シャッタレリーズ釦の第1ストロークや第２ストロークを検出するスイッチ、再生モードを指示するスイッチ、液晶モニタ２６の画面でカーソルの動きを指示するするスイッチ、撮影モードを指示するスイッチ、選択された各モード等を決定するＯＫスイッチ等の各種スイッチ２５５は、スイッチ検出回路２５３を介してデータバス２６１に接続されている。
【００４１】
次に図７を用いてライブビュー表示のフローを説明する。カメラ本体２００の図示しない操作釦の操作によりライブビュー表示に入ると、まず、測光・露光量演算を行う（Ｓ１）。ここでは、まだカム領域ｂ（図５参照）にあり、可動反射ミラー２０１は反射位置にあるので、この可動反射ミラー２０１から導かれた被写体光束の一部を測光素子２１１は測光し、この測光値に基づいてボディＣＰＵ２２９はシャッタ速度や絞り値等の露光値を演算する。続いて、ライブビューを行うための初期設定を行う（Ｓ２）。この初期設定では、ＣＣＤ２２１に電源の供給を行い、液晶モニタ２６におけるライブビュー表示の明度を適切に保つためにライブビュー表示条件の設定を行い、また可動反射ミラー２０１のミラーアップ動作等も行う。後者については、図８を用いて後述する。なお、このライブビュー初期設定の中で、ライブビュー表示が開始される。
【００４２】
次に、レリーズ釦２１の半押し操作がなされているか、すなわち１Ｒがオンか否かについて判定する（Ｓ３）。判定の結果、オンであった場合にはステップＳ５に進み、自動焦点調節（ＡＦ）のサブルーチンを実行する。このサブルーチンにおいては、液晶モニタ２６に被写体像をライブビューしながら、自動焦点調節と測光動作を行う。この自動焦点調節と測光動作は、ＭＳモータ３０１を逆転させ、カム領域ｃを経てカム領域ｂに移行し、この領域で可動反射ミラー２０１を反射位置に下降させた状態で測距素子２１１により測光を行うと共にサブミラー２０３によって導かれた被写体光束に基づいて測距回路２１７によって測距動作が行われる。このＡＦ動作の詳細は、図１０を用いて後述する。
【００４３】
ステップＳ５における自動焦点調節（ＡＦ）が終了すると、続いて、レリーズ釦２１の全押し操作がなされたか否か、すなわち２Ｒがオンか否かについて判定する（Ｓ７）。判定の結果、２Ｒがオンであった場合には、ステップＳ９に進み、撮影動作を実行する。この撮影動作のサブルーチンについては、図９を用いて後述する。撮影動作が終了すると、ステップＳ２のライブビューの初期設定に戻り、前述のステップを繰り返す。ステップＳ７に戻り、２Ｒがオフであった場合には、ステップＳ１１に進み、１Ｒがオンか否かの判定を行う。レリーズ釦２１が半押しされているが、全押しされていない場合には、ステップＳ７とステップＳ１１の判定を行う待機状態となる。レリーズ釦２１から撮影者の手が離れると、ステップＳ３に戻り、前述のステップを繰り返す。
【００４４】
ステップＳ３に戻り、１Ｒがオフであった場合には、ステップＳ１３に進み、表示モードの切り換え、すなわちライブビューでの被写体像の表示からファインダ光学系での光学的な表示に図示しない操作釦によって切り換えがなされたか否かの判定を行う。表示モードの切換がなされていなかった場合には、ステップＳ３に戻る。一方、表示モードが切り換えられた場合には、ステップＳ１５において、液晶モニタ２６での被写体像のライブビュー表示を停止するために、ＣＣＤ２２１の電源停止等の処理を行う。ステップＳ２のライブビュー初期設定の中でライブビュー表示が開始され、このステップＳ１５においてライブビュー表示が停止されるまでの間、ＣＣＤ２２１で繰り返し取得された撮像データに基づいて、液晶モニタ２６には連続的にライブビュー表示がなされている。続いて、ステップＳ１７において、シャッタ２１３と可動反射ミラー２０１の初期化を行う。これは、ライブビューを行うにあたって、可動反射ミラー２０１をアップ位置（反射位置）に移動させていたが、光学ファインダで被写体像を観察し、液晶モニタ２６には撮影情報を表示させる情報表示モードに戻すための処理である。この初期化にあたって、ＭＳモータ３０１は、前述のミラーチャージカム３５３とシャッタチャージカム３５５がカム領域ｂに達するまで駆動を行う。
【００４５】
前述のステップＳ２のライブビュー初期設定について、図８に示すフローチャートを用いて詳述する。ライブビューを行う以前は、ミラーチャージカム３５３とシャッタチャージカム３５５は、カム領域ｂにあり、ライブビューの初期化にあたっては、ＭＳモータ３０１はライブビューを行うカム領域ｄにカムギア３５７を駆動する。まず、ＭＳモータ３０１を回転させ、カム領域ｃを経てカム領域ｄにミラーチャージカム３５３とシャッタチャージカム３５５を駆動する（Ｓ２１）。カム領域ｃを駆動する間に、ミラー駆動レバー３４１は、図２（Ｄ）の位置から図２（Ｅ）の位置に向けて移動し、ミラー駆動バネ３４３のバネ力によって可動反射ミラー２０１は、アップ（退避）位置にむけて回動する。またシャッタカム３５５のカム面３５５ａは変化せず、上死点のままであることから、図２（Ｂ）（イ）の位置のままであり、シャッタチャージ状態を保持する。ｄ領域に達するとｄ検出がＬレベルとなり（Ｓ２３）、ＭＳモータ３０１の回転を停止する（Ｓ２５）。これによって、可動反射ミラー２０１はアップ（退避）位置になり、また、シャッタ２１３はシャッタチャージ状態を保持したままである。なお、前述したように、シャッタ２１３はノーマルオープンシャッタであることから、通常状態では開放されたままであり、特段、ライブビューを行うためのシャッタ開放動作は必要ない。
【００４６】
この状態では、可動反射ミラー２０１は退避位置にあり、シャッタ２１３は開放状態のままであることから、ＣＣＤ２２１上には、被写体像が結像しており、イメージャとしてのＣＣＤ２２１から画像情報の読み出しを開始する（Ｓ２７）。この読み出された画像情報に基づいて、液晶モニタ２６にライブビュー表示を行う（Ｓ２９）。ライブビュー表示を行うために、繰り返しＣＣＤ２２１から画像情報の読み出しを行い（例えば３０フレーム／秒）、動画として表示する。
【００４７】
次に、ステップＳ９の撮影動作について、図９に示すフローチャートを用いて詳述する。このサブルーチンは、前述したように、ライブビュー中にレリーズ釦２１が全押しされた際に、ＣＣＤ２２１からの出力に基づいて静止画を取得し、記録媒体２４５に記録を行うものである。ライブビューはカム領域ｄで行っており、撮影動作に移る場合には、そのままカム領域ｅにミラーチャージカム３５３とシャッタチャージカム３５５を駆動すればよい。前述したように、シャッタ２１３はノーマルオープンタイプであるので、シャッタ開放状態となっているので、露光時間制御のために、一旦閉じ状態にする。また、可動反射ミラー２０１は退避位置にあるので、その位置を保っていればよい。
【００４８】
まずシャッタ先幕および後幕保持用のマグネットＭｇに給電し、先幕および後幕を保持する（Ｓ７１）。この後、ＭＳモータ３０１の駆動を開始する（Ｓ７３）。この駆動により、カム領域ｄからカム領域ｅに向けて駆動が開始する。ミラーチャージカム３５３のカム面３５３ａはカム領域ｄとカム領域ｅで変化はないので、そのまま可動反射ミラー２０１は退避位置を保持するが、シャッタチャージカム３５５のカム面３５５ａは上死点から下死点に向けて変化し、これに応じてシャッタ先幕は開位置から閉位置に変化する。また、これとほぼ同時期に、カム領域ｄからカム領域ｅに遷移したことを検出するｅ検出スイッチがＬレベルを検出すると（Ｓ７５）、ＭＳモータ３０１は駆動を停止する（Ｓ７７）。
【００４９】
この状態では、可動反射ミラー２０１は撮影光路から退避しており、シャッタ２１３は露光可能状態となっているので、撮影動作に移る（Ｓ７９）。まず、シャッタ先幕を保持しているマグネットＭｇの通電を停止し、シャッタ先幕の走行を開始させる。予め演算されたシャッタ速度に対応した時間が経過したら、シャッタ後幕の走行を開始させる。シャッタ後幕の走行開始後、後幕が終了する時間が経過したら、ＭＳモータ３０１を駆動させ（Ｓ８１）、カム領域ｅからカム領域ａを経てカム領域ｂに移行させる。
【００５０】
カム領域ｅからカム領域ａに移ると、ミラーチャージカム３５３のカム面３５３ａとシャッタチャージカム３５５のカム面３５５ａはリフト領域となり、ミラーチャージレバー３５１とシャッタチャージレバー３６１はそれぞれ回動して、可動反射ミラー２０１のチャージとシャッタ２１３のチャージ動作を行う。カム領域ａからカム領域ｂに入ると、ｂ検出スイッチがＬレベルを検出し（Ｓ８３）、ＭＳモータ３０１は駆動を停止する（Ｓ８５）。なお、撮影動作が終了すると、ＣＣＤ２２１から静止画の画像情報の読み出しを行い、液晶モニタ２６に所定時間、表示を行う。撮影動作のサブルーチンが終了すると、ステップＳ２のライブビュー初期設定に戻り、カム領域ｂからｃ領域を経てｄ領域に戻り、ライブビューを再開する。
【００５１】
次に、ライブビューを行っていない、つまり光学ファインダで被写体を観察する通常モード（情報表示モード）における撮影動作について、図１１のタイムチャートを用いて説明する。前述したように、通常モードでの被写体像の観察はカム領域ｂ、すなわちスタンバイ領域で行っている。レリーズ釦２１が操作され２Ｒがオンとなると、カム領域ｂからカム領域ｃを経て、カム領域ｅにおいて、撮影動作を実行する。
【００５２】
まず、レリーズ釦２１が操作され２Ｒがオンとなると、ＭＳモータ３０１が駆動を開始する（図１１のｔ１）。カム領域ｃに入ると、ｂ検出スイッチがＬレベルとなり（図１１のｔ２）、可動反射ミラー２０１が反射位置から退避位置に移動する。さらにＭＳモータ３０１は駆動を続け、カム領域ｅに遷移する手前で、シャッタマグネットをオンする（図１１のｔ３）。この動作からは、ライブビューにおける撮影動作は図１０に示すフローチャートと同様である。
【００５３】
シャッタ先幕は、シャッタチャージカム３５５の回動に伴って開位置から閉位置に変化する。カム領域ｄからカム領域ｅに遷移したことを検出するｅ検出スイッチがＬレベルを検出すると、ＭＳモータ３０１は駆動を停止する（図１１のｔ４）。この状態では、可動反射ミラー２０１は撮影光路から退避しており、シャッタ２１３は露光可能状態となっているので、撮影動作に移る。まず、シャッタ先幕を保持しているマグネットＭｇの通電を停止し、シャッタ先幕の走行を開始させる（図１５のｔ５）。予め演算され、若しくは設定されたシャッタ速度に対応した時間が経過したら、シャッタ後幕の走行を開始させる（図１１のｔ６）。シャッタ後幕の走行開始後、後幕が終了する時間が経過したら、ＭＳモータ３０１を駆動させ（図１１のｔ７）、カム領域ｅからカム領域ａを経てカム領域ｂに移行させる。
【００５４】
ＭＳモータ３０１の駆動中にカム領域ａに移ると、ミラーチャージカム３５３のカム面３５３ａはリフト領域となり、ミラーチャージレバー３５１は回動して可動反射ミラー２０１のチャージ動作を行う（図１１のｔ７〜ｔ８）。同様に、シャッタチャージカム３５５のカム面３５５ａもリフト領域となり、シャッタチャージレバー３６１は回動してシャッタ２１３のチャージ動作を行う（図１１のｔ７〜ｔ８）。カム領域ａからカム領域ｂに入ると、ｂ検出スイッチがＬレベルを検出し（図１１のｔ９）、ＭＳモータ３０１は駆動を停止する。
【００５５】
次に、ステップＳ５のＡＦ動作について、図１０に示すフローチャートを用いて詳述する。ライブビューはカム領域ｄを使って行っているが、この状態では可動反射ミラー２０１はアップ状態（退避位置）にあり、測距回路２１７に被写体光束が導かれないので、ＴＴＬ位相差測距を行うことができない。また、測光素子２１１にも被写体光束が導かれないので、測光動作を行うことができない。そこで、ライブビュー中に測距や測光を行う場合には、ＭＳモータ３０１を逆転させてカム領域ｃに駆動し測距・測光を行った後、ＭＳモータ３０１を正転させてカム領域ｄに戻すようにしている。
【００５６】
ライブビュー中ＡＦに入ると、まず液晶モニタ２６でのライブビュー表示をフリーズさせる（Ｓ９１）。これは、可動反射ミラー２０１がダウン位置に変化することによりＣＣＤ２２１に被写体光束が遮られ被写体像が乱れ見苦しくなることから、被写体像を固定するためである。続いてＣＣＤ２２１から被写体画像データの読出しを停止する（Ｓ９３）。以上の液晶モニタ２６での表示対策が終了したら、次にＭＳモータ３０１の逆転駆動を開始する。これによってミラーチャージカム３５３とシャッタチャージカム３５５はカム領域ｄからカム領域ｃを経てカム領域ｂに駆動される。カム領域ｂに入ると、ｂ検出はＬレベルを検出し（Ｓ９７）、ＭＳモータ３０１の逆転駆動を停止する。
【００５７】
以上のステップにおける動作によりカム領域ｂに到達し、この領域で測距および測光を行う（Ｓ１０１）。測距は前述したように測距回路２１７によりＴＴＬ位相差ＡＦにより撮影レンズの焦点ズレ量を検出する。また測光は測光回路２１１の出力に基づいて適正露光となるシャッタ速度や絞り値等の演算を行う。測距および測光が終了すると、次にＭＳモータ３０１を正転駆動させ、カム領域ｂからカム領域ｃを経てカム領域ｄに駆動する（Ｓ１０５）。カム領域ｄに達すると、ｄ検出がＬレベルを検出し（Ｓ１０５）、ＭＳモータの正転駆動を停止する（Ｓ１０７）。このＭＳモータ３０１の正転駆動の間、レンズＣＰＵ１１１を介して撮影レンズを合焦位置に駆動する。
【００５８】
カム領域ｄに達すると、可動反射ミラー２０１はアップ位置（退避状態）となるので、ＣＣＤ２１１上に被写体像が再び結像するので、ＣＣＤ２２１から被写体画像データを取得するためにデータの読出しを開始し（Ｓ１０９）、この被写体画像データに基づいて液晶モニタ２６にライブビュー表示を開始する（Ｓ１１１）。なお、ステップＳ１１３のレンズ駆動は、ステップＳ１０３からＳ１０７と並行して行っているが、ステップＳ１０７までに合焦位置に駆動できない場合は、さらにステップＳ１０９以降、続行しても良い。
【００５９】
以上の如く、本発明の一実施形態においては、ノーマルオープンタイプのシャッタ２１３を用い、シャッタチャージカム３５３のカム面３５３ａおよびミラーチャージカム３５５のカム面３５５ａにそれぞれスタンバイ領域（カム領域ｂ）とライブビュー領域（カム領域ｄ）を設けると共に、この２つの領域の間にリバースチャージ領域（カム領域ｃ）を連続して設け、２つの領域の間を可逆的に往復動することができるようにしたので、ライブビューを行っている際に測距または測光を行う場合に、撮影領域（カム領域ａ）およびチャージ領域（カム領域ａ）を通過しなくても、リバースチャージ領域（カム領域ｃ）を通過して直ちにスタンバイ領域（カム領域ｃ）に到達することができるので、測距または測光を行うまでの時間を短縮することができる。また、測距または測光が終了すると、リバースチャージ領域（カム領域ｃ）を経てライブビューに直ちに復帰できるので、切り換えに時間がかからない。またこれらの動作を行うためのエネルギロスを減らすこともできる。
【００６０】
さらに、本発明の一実施形態においては、ライブビューを行っている際に、測距または測光を行う場合には、液晶モニタ２６によるライブビュー表示を固定しているので、ライブビュー表示が乱れることがなく、また測距また測光が終了すると直ちにライブビューを再開するので、大変便利である。
【００６１】
また、本発明の一実施形態においては、ライブビュー領域（カム領域ｄ）ではシャッタ２１３のチャージを保持するようにしたので、撮影動作の準備としてはシャッタ先幕の閉じ動作を行うだけでよく、このためシャッタタイムラグを短くすることができる。つまり、可動反射ミラー２０１のアップダウン動作やシャッタ２１３のシャッタチャージ動作等の撮影準備動作を必要としていない分、シャッタタイムラグを短くすることができる。また、これらのアップダウン動作やシャッタチャージ動作を行うためのエネルギロスを減らすこともできる。
【００６２】
さらに、本発明の一実施形態においては、ノーマルオープンタイプのシャッタ２１３を用い、シャッタのチャージ完了状態において、可動反射ミラー２０１が反射位置となるスタンバイ領域（カム領域ｂ）と、退避位置となるライブビュー領域（カム領域ｄ）の２つの状態をとることができるので、撮影動作に移行する場合に、シャッタチャージを新たに行う必要がなく、シャッタタイムラグを短くすることができる。
【００６３】
なお、本発明の一実施形態では、ミラーチャージカム３５１とシャッタチャージカム３５５の２つのカムを採用していたが、これに限らず、例えば、１つのカムで領域をミラーチャージ用とシャッタチャージ用に分けるようにしても良い。また、シャッタ先幕の閉じ動作を行わせるためのカム面をライブビュー領域（カム領域ｄ）としたが、撮影領域（カム領域ｅ）とすることも可能である。さらに、カム機構に限らず、歯車機構の切換や、直接シャッタ機構および反射ミラー機構をモータ等の駆動源で駆動することにより、スタンバイ領域とライブビュー領域を相互に切り換え、高速に測距動作または測光動作を切り換えるようにしても勿論構わない。さらに、本実施形態においては、ノーマルオープンタイプのシャッタ２１３を採用していたが、これに限らず、ノーマルクローズタイプのシャッタを採用しても良いことは勿論である。
【００６４】
また、本実施形態では、撮像素子はＣＣＤ２２１の一つであったが、複数の撮像素子の出力を切り換えてライブビュー表示するようなカメラであっても適用できることは勿論である。さらに、可動反射ミラー２０１はファインダ光学系と撮像素子に光路を切り換えていたが、これに限らず、例えば、画像記録用の撮像素子と被写体像観察用の撮像素子とに切り換えるように構成しても勿論、本発明を適用することができる。さらに、本実施形態では、可動反射ミラー２０１はミラーアップ時にミラーチャージを行っていたが、逆にミラーダウン時にミラーチャージを行うようにしても良い。
【図面の簡単な説明】
【００６５】
【図１】本発明の一実施形態に係わるデジタル一眼レフカメラの内部機構の概略構成を示すブロック図であり、（Ａ）は撮影レンズの光軸方向に沿った内部構成を、（Ｂ）はカメラ本体２００の正面方向からみた内部構成を示すブロック図である。
【図２】本発明の一実施形態に係わるデジタル一眼レフカメラのシャッタと可動反射ミラーを示す図であって、（Ａ）はシャッタの斜視図であり、（Ｂ）はシャッタの正面図、（Ｃ）は可動反射ミラーの斜視図、（Ｄ）は可動反射ミラーのミラーダウン状態を示し、（Ｅ）は可動反射ミラーのミラーアップ状態を示す図である。
【図３】本発明の一実施形態に係わるデジタル一眼レフカメラのシャッタ・ミラー駆動ユニットの部分詳細図である。
【図４】本発明の一実施形態に係わるデジタル一眼レフカメラのカムの領域を示す図であって、（Ａ）はミラーチャージカム、（Ｂ）はシャッタチャージカムのカム領域をそれぞれ示す図である。
【図５】本発明の一実施形態に係わるデジタル一眼レフカメラのカム領域の展開図である。
【図６】本発明の一実施形態に係るデジタル一眼レフカメラの主として電気系の全体構成を示すブロック図である。
【図７】本発明の一実施形態におけるデジタル一眼レフカメラのライブビュー表示のフローチャートである。
【図８】本発明の一実施形態におけるデジタル一眼レフカメラのライブビュー初期設定のフローチャートである。
【図９】本発明の一実施形態におけるデジタル一眼レフカメラの撮影動作のフローチャートである。
【図１０】本発明の一実施形態におけるデジタル一眼レフカメラのＡＦにおけるフローチャートである。
【図１１】本発明の一実施形態におけるデジタル一眼レフカメラの通常撮影時の撮影動作を示すタイムチャートである。
【符号の説明】
【００６６】
２１  レリーズ釦
２６  液晶モニタ
３３  ファインダ
１００  レンズ鏡筒
２００  カメラ本体
２０１  可動反射ミラー
２０３  サブミラー
２１３  フォーカルプレーンシャッタ
２１３ｂ  シャッタセットレバー
２２１  ＣＣＤ
２２９  ボディＣＰＵ
２７９  ファインダ内ＣＣＤ
２２７  画像処理回路
２８５  ＣＣＤ切換回路
３０１  ＭＳモータ
３０３  シャッタ・ミラー駆動ユニット
３４１  ミラー駆動レバー
３５３  ミラーチャージカム
３５５  シャッタチャージカム
３５７  カムギア
３６１  シャッタチャージレバー
【図１】
2007310219.tif 000003
【図２】
2007310219.tif 000004
【図３】
2007310219.tif 000005
【図４】
2007310219.tif 000006
【図５】
2007310219.tif 000007
【図６】
2007310219.tif 000008
【図７】
2007310219.tif 000009
【図８】
2007310219.tif 000010
【図９】
2007310219.tif 000011
【図１０】
2007310219.tif 000012
【図１１】
2007310219.tif 000013